(57)【要約】【課題】搭載スペースを抑えつつ、ワイヤーハーネスを適切に取り付ける。【解決手段】電線２２の所定外側近傍部分２２ｂの各々において、電線２２とは長手方向の相対移動が不能となるように、所定長さ部分２２ａよりも長い間隔を開けてタイバンド７０ａ，７０ｂが電線２２の周囲に巻き付けられるので、Ｕ字クリップ６０に対する電線２２の相対移動を規制することができ、又、タイバンド７０ａ，７０ｂが巻き付けられた位置の間隔次第で規制する相対移動幅を調節することができる。又、電線２２の所定長さ部分２２ａがＵ字クリップ６０に差し込まれつつＵ字クリップ６０がワイヤーハーネス固定相手３０の取付孔３２に挿入されるので、電線２２とワイヤーハーネス固定相手３０との間に介在する部材が無く、電線２２を直接的にワイヤーハーネス固定相手３０に押し付けるように取り付けることができ、最低限のスペースでワイヤーハーネス２０の搭載が可能となる。【選択図】図２
2020127317.tif 000002
【特許請求の範囲】
【請求項１】
電線を含むワイヤーハーネスを取付対象部材に取り付けるワイヤーハーネスの取付用具であって、
一端側に形成された開口部を介して差し込まれる前記電線の長手方向における所定長さ部分を挿通可能に収納する本体部と、前記本体部の前記開口部側部分に形成されて前記取付対象部材の所定の取付孔に挿入可能な係止部とを有する保持部材と、
前記電線の周囲に巻き付けられるバンド部と、前記バンド部の一端側部分に一体的に形成されて前記バンド部の他端側部分を固定可能なバンド固定部とを有する緊締部材とを備え、
前記電線の前記所定長さ部分両端の所定外側近傍部分の各々において、前記電線とは前記長手方向の相対移動が不能となるように、前記所定長さ部分の前記長手方向の長さよりも長い第２所定長さの間隔を開けて二つの前記緊締部材が各々前記電線の周囲に巻き付けられると共に、
前記電線の前記所定長さ部分が前記保持部材に差し込まれつつ前記保持部材が前記取付対象部材の前記取付孔に挿入されることを特徴とするワイヤーハーネスの取付用具。
【発明の詳細な説明】
【技術分野】
【０００１】
本発明は、ワイヤーハーネスを取付対象部材に取り付けるワイヤーハーネスの取付用具に関するものである。
【背景技術】
【０００２】
電線を含むワイヤーハーネスを取付対象部材に取り付けるワイヤーハーネスの取付用具が良く知られている。例えば、特許文献１に記載されたバンドクリップがそれである。特許文献１には、ワイヤーハーネスの周囲に巻き付けられるバンド部と、バンド部の一端側部分につながるように設けられ且つバンド部の他端側部分である先端側部分の一部を固定可能な本体部と、本体部に設けられ且つ取付対象部材に取付可能に形成された車両固定部とを含み、バンド部がワイヤーハーネスに巻き付けられて固定されている状態で車両固定部が取付対象部材に取り付けられることで取付対象部材にワイヤーハーネスを固定するバンドクリップが開示されている。
【先行技術文献】
【特許文献】
【０００３】
【特許文献１】特開２０１５−１００２２６号公報
【発明の概要】
【発明が解決しようとする課題】
【０００４】
ところで、特許文献１に記載されたバンドクリップの車両固定部は、皿部と係止部とを備えており、取付対象部材に形成された取付孔に係止部を嵌め込むことで、取付対象部材が皿部と係止部との間に挟み込まれて車両固定部が取付対象部材に固定される。このようにバンドクリップが構成されていると、取付対象部材とバンド部との間には車両固定部の皿部が介在することになり、バンドクリップの外形が大きくなる為、特には取付対象部材からの高さが増す為、搭載スペースの制約を受け易くなるという問題がある。必要となる搭載スペースを抑えつつ、取付対象部材にワイヤーハーネスを適切に取り付けることが望まれる。
【０００５】
本発明は、以上の事情を背景として為されたものであり、その目的とするところは、搭載スペースを抑えつつ、ワイヤーハーネスを適切に取り付けることができるワイヤーハーネスの取付用具を提供することにある。
【課題を解決するための手段】
【０００６】
第１の発明の要旨とするところは、（ａ）電線を含むワイヤーハーネスを取付対象部材に取り付けるワイヤーハーネスの取付用具であって、（ｂ）一端側に形成された開口部を介して差し込まれる前記電線の長手方向における所定長さ部分を挿通可能に収納する本体部と、前記本体部の前記開口部側部分に形成されて前記取付対象部材の所定の取付孔に挿入可能な係止部とを有する保持部材と、（ｃ）前記電線の周囲に巻き付けられるバンド部と、前記バンド部の一端側部分に一体的に形成されて前記バンド部の他端側部分を固定可能なバンド固定部とを有する緊締部材とを備え、（ｄ）前記電線の前記所定長さ部分両端の所定外側近傍部分の各々において、前記電線とは前記長手方向の相対移動が不能となるように、前記所定長さ部分の前記長手方向の長さよりも長い第２所定長さの間隔を開けて二つの前記緊締部材が各々前記電線の周囲に巻き付けられると共に、（ｅ）前記電線の前記所定長さ部分が前記保持部材に差し込まれつつ前記保持部材が前記取付対象部材の前記取付孔に挿入されることにある。
【発明の効果】
【０００７】
前記第１の発明によれば、電線の長手方向における所定長さ部分両端の所定外側近傍部分の各々において、電線とは長手方向の相対移動が不能となるように、所定長さ部分の長手方向の長さよりも長い第２所定長さの間隔を開けて二つの緊締部材が各々電線の周囲に巻き付けられるので、保持部材に対する電線の長手方向の相対移動を規制することができ、又、二つの緊締部材が巻き付けられた位置の間隔次第で規制する相対移動幅を調節することができる。又、電線の所定長さ部分が保持部材に差し込まれつつ保持部材が取付対象部材の取付孔に挿入されるので、電線と取付対象部材との間に介在する部材が無く、電線を直接的に取付対象部材に押し付けるように取り付けることができ、最低限のスペースでワイヤーハーネスの搭載が可能となる。よって、搭載スペースを抑えつつ、ワイヤーハーネスを適切に取り付けることができる。
【図面の簡単な説明】
【０００８】
【図１】車両にワイヤーハーネスが搭載された状態の一例を説明する図である。
【図２】バンドクリップの構造を説明する為の図であり、ワイヤーハーネスがバンドクリップによってワイヤーハーネス固定相手に取り付けられた状態の一例を示す外観図である。
【図３】バンドクリップの構造を説明する為の図であり、図２に示したＡ−Ａ断面における断面を示す図である。
【図４】バンドクリップの構造を説明する為の図であり、図２に示したＢ−Ｂ断面における断面を示す図である。
【図５】バンドクリップの構造を説明する為の図であり、図２に示したＣ−Ｃ断面における断面を示す図である。
【発明を実施するための形態】
【０００９】
以下、本発明の実施例を図面を参照して詳細に説明する。
【実施例】
【００１０】
図１は、車両１０にワイヤーハーネス２０が搭載された状態の一例を説明する図である。図１において、車両１０は、ワイヤーハーネス２０、ワイヤーハーネス固定相手３０、本発明が適用されるバンドクリップ４０、サービスホール５０等を備えている。
【００１１】
ワイヤーハーネス２０は、電線２２、接続用のコネクタ２４等を含んでおり、それらの電線２２やコネクタ２４等が一体的に組み上げられた配線部品である。電線２２は、例えば一つの電線、又は複数の電線を含む電線群である。ワイヤーハーネス固定相手３０は、ワイヤーハーネス２０が取り付けられる取付対象部材である。
【００１２】
バンドクリップ４０は、ワイヤーハーネス２０をワイヤーハーネス固定相手３０に取り付けるワイヤーハーネスの取付用具である。バンドクリップ４０は、Ｕ字クリップ６０とタイバンド７０ａ，７０ｂとを備えている。特に区別しない場合には、タイバンド７０ａ，７０ｂをタイバンド７０と表す。
【００１３】
サービスホール５０は、ワイヤーハーネス２０をワイヤーハーネス固定相手３０に取り付けたり、ワイヤーハーネス２０を車載の他の電装品と接続したりする際の作業穴である。
【００１４】
図２，図３，図４，図５は、バンドクリップ４０の構造を説明する為の図である。図２は、ワイヤーハーネス２０がバンドクリップ４０によってワイヤーハーネス固定相手３０に取り付けられた状態（図１参照）の一例を示すバンドクリップ４０やその周辺の外観図である。図３は、図２に示したＡ−Ａ断面における断面を示す図である。図４は、図２に示したＢ−Ｂ断面における断面を示す図である。図５は、図２に示したＣ−Ｃ断面における断面を示す図である。
【００１５】
図２，図３，図４，図５において、Ｕ字クリップ６０は、本体部６２と係止部６４とを有しており、ワイヤーハーネス固定相手３０に対して電線２２の浮きを規制しつつワイヤーハーネス固定相手３０にワイヤーハーネス２０を取り付ける保持部材である。Ｕ字クリップ６０は、例えば樹脂製である。
【００１６】
本体部６２は、一端側が開放され且つ他端側が閉鎖されており、一端側に電線２２を受け入れる開口部６６と、他端側に電線２２の長手方向における所定長さ部分２２ａを収容する空間部６８とが形成されている。このように構成された本体部６２は、開口部６６を介して差し込まれる電線２２の所定長さ部分２２ａを挿通可能に収納する。所定長さ部分２２ａは、例えばワイヤーハーネス固定相手３０にワイヤーハーネス２０を取り付ける際にＵ字クリップ６０が配設される予め定められた電線２２の一部分である。所定長さ部分２２ａの長手方向の長さは、Ｕ字クリップ６０の本体部６２の長手方向の長さに相当する予め定められた所定長さである。上記長手方向は、電線２２の軸心と平行な方向であり、図２中に示した矢印の方向である。
【００１７】
係止部６４は、本体部６２の開口部６６側部分において開口部６６の開口している内側とは反対の外側に向けて突出するように形成されている。係止部６４は、ワイヤーハーネス固定相手３０に形成された取付孔３２に挿入可能に形成されている。取付孔３２は、Ｕ字クリップ６０がワイヤーハーネス固定相手３０から抜けないように係止部６４が挿入される予め定められた所定の取付孔である。
【００１８】
タイバンド７０は、バンド部７２とバンド固定部７４とを有しており、電線２２の周囲に巻き付けられて電線２２に締め付けられる緊締部材である。タイバンド７０は、電線２２の所定長さ部分２２ａ両端の所定外側近傍部分２２ｂの各々に締め付けられる（タイバンド７０ａ，７０ｂ参照）。タイバンド７０は、例えば樹脂製である。所定外側近傍部分２２ｂは、例えばタイバンド７０が巻き付けられる予め定められた電線２２の一部分である。
【００１９】
バンド部７２は、電線２２とは電線２２の長手方向の相対移動不能に電線２２の周囲に巻き付けられる、電線２２の外周長よりも長い細帯状の結束用のバンドである。バンド固定部７４は、バンド部７２の一端側部分に一体的に形成されている。バンド固定部７４は、バンド部７２の他端側部分である先端側部分７２ａが挿通可能、且つその先端側部分７２ａの一部を固定可能に形成されている。
【００２０】
タイバンド７０が周囲に巻き付けられた状態の電線２２は、タイバンド７０が巻かれた部分においてＵ字クリップ６０の本体部６２を挿通不能とされる。又、Ｕ字クリップ６０は、電線２２をワイヤーハーネス固定相手３０に対して浮かないように押し付けているだけであり、電線２２をＵ字クリップ６０に対する長手方向の相対移動不能に固定するものではない。このようになるように、Ｕ字クリップ６０は電線２２に合わせた形状に形成されている。従って、タイバンド７０ａ，７０ｂが巻き付けられた位置間の間隔の範囲内でＵ字クリップ６０に対する電線２２の長手方向の相対移動が許容される。見方を換えれば、電線２２に巻き付けられたタイバンド７０ａ，７０ｂと、Ｕ字クリップ６０とで、Ｕ字クリップ６０に対する電線２２の長手方向の相対移動が制限される。
【００２１】
上述のように構成されたバンドクリップ４０では、電線２２の所定長さ部分２２ａ両端の所定外側近傍部分２２ｂの各々において、電線２２とは長手方向の相対移動が不能となるように、所定長さ部分２２ａの長手方向の長さよりも長い第２所定長さの間隔を開けて二つのタイバンド７０ａ，７０ｂが各々電線２２の周囲に巻き付けられる。加えて、バンドクリップ４０では、タイバンド７０ａ，７０ｂが巻き付けられた状態の電線２２における所定長さ部分２２ａがＵ字クリップ６０の本体部６２に差し込まれつつＵ字クリップ６０の係止部６４がワイヤーハーネス固定相手３０の取付孔３２に挿入される。このように、Ｕ字クリップ６０によってワイヤーハーネス２０はワイヤーハーネス固定相手３０に取り付けられる。前記第２所定長さは、例えば電線２２に巻き付けられる二つのタイバンド７０ａ，７０ｂにおける長手方向の予め定められた間隔である。
【００２２】
Ｕ字クリップ６０によってワイヤーハーネス固定相手３０にワイヤーハーネス２０が取り付けられた後に、ワイヤーハーネス２０が動かないようにしたい場合やワイヤーハーネス２０を動かす必要がない場合、Ｕ字クリップ６０に対する電線２２の長手方向の相対移動ができるだけ許容されない方が好ましい。このような場合、第２所定長さを所定長さ部分２２ａの長手方向の長さよりも僅かに長い程度とすることが有用である。
【００２３】
一方で、Ｕ字クリップ６０によってワイヤーハーネス固定相手３０にワイヤーハーネス２０が取り付けられた後に、例えばワイヤーハーネス２０のコネクタ２４を脱着する必要がある場合、Ｕ字クリップ６０に対する電線２２の長手方向の相対移動がある程度は許容される方が好ましい。このような場合、第２所定長さを所定長さ部分２２ａの長手方向の長さよりも必要に応じて長くすることが有用である。
【００２４】
上述のように、本実施例によれば、電線２２の長手方向における所定長さ部分２２ａ両端の所定外側近傍部分２２ｂの各々において、電線２２とは長手方向の相対移動が不能となるように、所定長さ部分２２ａの長手方向の長さよりも長い第２所定長さの間隔を開けて二つのタイバンド７０ａ，７０ｂが各々電線２２の周囲に巻き付けられるので、Ｕ字クリップ６０に対する電線２２の長手方向の相対移動を規制することができ、又、二つのタイバンド７０ａ，７０ｂが巻き付けられた位置の間隔次第で規制する相対移動幅を調節することができる。又、電線２２の所定長さ部分２２ａがＵ字クリップ６０に差し込まれつつＵ字クリップ６０がワイヤーハーネス固定相手３０の取付孔３２に挿入されるので、電線２２とワイヤーハーネス固定相手３０との間に介在する部材が無く、電線２２を直接的にワイヤーハーネス固定相手３０に押し付けるように取り付けることができ、最低限のスペースでワイヤーハーネス２０の搭載が可能となる。よって、搭載スペースを抑えつつ、ワイヤーハーネス２０を適切に取り付けることができる。
【００２５】
また、本実施例によれば、電線２２とワイヤーハーネス固定相手３０との間に介在する部材が無いので、ワイヤーハーネス固定相手にそのような介在する部材を当接させる部分におけるガタを抑制する為の平面を設定する必要がない。これにより、ワイヤーハーネス固定相手にそのような平面を設定する為の工数を削減することができる。
【００２６】
以上、本発明の実施例を図面に基づいて詳細に説明したが、本発明はその他の態様においても適用される。
【００２７】
例えば、前述の実施例において、Ｕ字クリップ６０は、図２に示したＡ−Ａ断面における断面がＵ字状に形成されていたが、この態様に限らない。Ｕ字クリップ６０は、電線２２の形状に合わせた形状に形成されておれば良い。
【００２８】
尚、上述したのはあくまでも一実施形態であり、本発明は当業者の知識に基づいて種々の変更、改良を加えた態様で実施することができる。
【符号の説明】
【００２９】
２０：ワイヤーハーネス
２２：電線
２２ａ：所定長さ部分
２２ｂ：所定外側近傍部分
３０：ワイヤーハーネス固定相手（取付対象部材）
３２：取付孔
４０：バンドクリップ（ワイヤーハーネスの取付用具）
６０：Ｕ字クリップ（保持部材）
６２：本体部
６４：係止部
６６：開口部
７０（７０ａ，７０ｂ）：タイバンド（緊締部材）
７２：バンド部
７２ａ：先端側部分（他端側部分）
７４：バンド固定部
【図１】
2020127317.tif 000003
【図２】
2020127317.tif 000004
【図３】
2020127317.tif 000005
【図４】
2020127317.tif 000006
【図５】
2020127317.tif 000007